(57)【要約】  処理が開始されると、ユーザの操作により新規にＣＤＮに接続された後に、ＣＤＮ構成情報ファイル(ＸＭＬ)を取得することができる。次に、ＣＤＮ構成情報に書かれているＰＦ構成情報ファイルを取得する。ＩＰ放送の有無を判定し、ＩＰ放送がある場合には、ＰＦ構成情報ファイル(ＸＭＬ)に記載のマルチキャストアドレスに接続し、ＳＩ専用ストリーム（映像・音声を含まない全局ＳＩ）から、ＰＦ中の全チャンネル情報を取得する（チャンネルスキャン）。ＳＮＴＰのＵＲＬはＣＤＮ構成情報ファイルに記載されている。ＳＮＴＰよる時間情報の取得を、このチャンネルスキャンを行うと同時（または直前または直後など近いタイミングで）に行う。以上の処理により、ＩＰ放送も見ることができるＩＰＴＶについての、特有の問題である時間の取得を簡単に実行することが可能になる。
2010041627.tif 000002
【特許請求の範囲】
【請求項１】
タイマを備え、ＩＰ放送を受信可能なデジタル放送受信装置であって、
新規にＣＤＮに接続した後に取得されたＣＤＮ構成情報ファイルにおけるＰＦ構成情報ファイルに記載されているＳＩ専用ストリーム情報に基づいて、前記ＣＤＮ構成情報ファイルに記載されているＳＮＴＰによる時間情報の取得処理時に初期チャネルサーチ処理を行う制御部を有することを特徴とするデジタル放送受信装置。
【請求項２】
前記の制御部における前記初期チャネルサーチを、ＩＰ放送の有無の判断処理においてＩＰ放送がある場合に行うことを特徴とする請求項１に記載のデジタル放送受信装置。
【請求項３】
前記制御部は、
前記時間情報を前記タイマに反映させ、該タイマにおける時間情報に基づいて、デジタル放送波から取得する電子番組表情報を取得する処理を行うことを特徴とする請求項１又は２に記載のデジタル放送受信装置。
【請求項４】
タイマを備え、ＩＰ放送を受信可能なデジタル放送受信装置における受信方法であって、
新規にＣＤＮに接続した後に取得されたＣＤＮ構成情報ファイルに記載されているＰＦ構成情報ファイルに記載されているＳＩ専用ストリーム情報に基づいて初期チャネルサーチ処理を、前記ＣＤＮ構成情報ファイルに記載されているＳＮＴＰよる時間情報の取得処理と近いタイミングで行うステップを有することを特徴とする受信方法。
【請求項５】
請求項４に記載の方法をコンピュータに実行させるためのプログラム。
【請求項６】
請求項５に記載のプログラムを記録するコンピュータ読み取り可能な記録媒体。  
【発明の詳細な説明】
【技術分野】
【０００１】
本発明は、デジタル放送受信技術に関し、特に、ＩＰＴＶ機能を備えたデジタル放送受信装置における時刻設定技術に関する。
【背景技術】
【０００２】
デジタル放送受信装置において、タイマの時刻設定を行うことで、電子番組表からの予約視聴や予約録画などが正確にできる。一般的な時刻設定処理は、デジタル放送受信装置の初期設定時に行われる。また、初期設定時には、チャンネルサーチが行なわれる。下記特許文献１に記載の技術では、効率のよいチャンネルサーチを実行してユーザの利益に供するものである。
【特許文献１】特開２００４−１１２６２１号公報
【発明の開示】
【発明が解決しようとする課題】
【０００３】
近年、デジタル放送受信装置を用いて、デジタル放送番組以外にも様々なものを受信するようになってきている。【０００４】
しかしながら、受信装置を用いる視聴者は、受信できるコンテンツの性質によって、設定を変更する必要があるものであるというところまで、意識を及ばせることは困難であり、仮に、ユーザにその意識があったとしても、操作が煩雑で面倒であるという点は変わらない。このため、本来なら受けることのできるサービスを受信できない、あるいは、受信したくなくなる、という問題が生じている。【０００５】
例えば、ＩＰを利用してデジタルテレビ放送を配信するサービスであるＩＰＴＶ（Internet Protocol TeleVision）が、今後、盛んに利用されるようになると考えられる。その場合に、例えば、時刻の設定がされていなくても、ＩＰＴＶの番組を視聴することができるが、電子番組表（ＥＰＧ）を見ることができない、という問題が生じる。このような問題は、地上放送のみを受信する際には生じないことであった。上記特許文献１には、チャネルサーチに関する技術が記載されているが、ＩＰＴＶについての、特有の課題(時間の取得)が記載されていない。【０００６】
本発明は、ＩＰ放送も見ることができるＩＰＴＶについての、特有の問題である時間の取得を簡単に実行する技術を提供するものである。
【課題を解決するための手段】
【０００７】
本発明は、ＩＰＴＶの(初期)チャンネルサーチ時に受信装置の時刻合わせを同時に行うものである。【０００８】
本発明の一観点によれば、タイマを備え、ＩＰ放送を受信可能なデジタル放送受信装置であって、新規にＣＤＮに接続した後に取得されたＣＤＮ構成情報ファイルにおけるＰＦ構成情報ファイルに記載されているＳＩ専用ストリーム情報に基づいて、前記ＣＤＮ構成情報ファイルに記載されているＳＮＴＰよる時間情報の取得処理時に初期チャネルサーチ処理を行う制御部を有することを特徴とするデジタル放送受信装置が提供される。初期チャネルサーチ処理は、ＳＮＴＰよる時間情報の取得処理時と近いタイミングで行えば良い。ＳＩ専用ストリームの受信は、ＲＴＰ（ＵＤＰ）プロトコルにより行うため、ＳＮＴＰよる時間情報の取得処理とは異なるプロトコルであることを利用して、ストリームと時刻情報とを同時に取得することができる。初期チャンネルサーチ時に、時刻設定をも行うことにより、デジタル放送受信装置がＩＰ放送を受信するときでも、視聴者には何ら負担なく、受信されるサービスを享受させることが可能となる。【０００９】
前記制御部における処理は、ＩＰ放送の有無の判断処理においてＩＰ放送がある場合に行うことが好ましい。前記制御部は、前記時間情報を前記タイマに反映させ、該タイマにおける時間情報に基づいて、デジタル放送波から取得する電子番組表情報を取得する処理を行うことが好ましい。【００１０】
本発明の他の観点によれば、タイマを備え、ＩＰ放送を受信可能なデジタル放送受信装置における受信方法であって、新規にＣＤＮに接続した後に取得されたＣＤＮ構成情報ファイルに記載されているＰＦ構成情報ファイルに記載されているＳＩ専用ストリーム情報に基づいて初期チャネルサーチ処理を、前記ＣＤＮ構成情報ファイルに記載されているＳＮＴＰによる時間情報の取得処理と近いタイミングで行うステップを有することを特徴とする受信方法が提供される。【００１１】
本発明は、上記に記載の方法をコンピュータに実行させるためのプログラムであっても良く、該プログラムを記録するコンピュータ読みとり可能な記録媒体であっても良い。プログラムは、インターネットなどの伝送媒体を介して取得されたものでも良い。【００１２】
本明細書は本願の優先権の基礎である日本国特許出願２００８−２６００９８号の明細書および／または図面に記載される内容を包含する。
【発明の効果】
【００１３】
本発明によれば、初期チャンネルサーチ時に時刻設定をも行うことにより、受信装置自体の機能があがり、ＩＰ放送を受信できるときでも、視聴者には何の負担もあたえることなく、受信されるサービスを享受することが可能となる。
【図面の簡単な説明】
【００１４】
【図１】本発明の一実施の形態によるデジタル放送受信装置の一構成例を示す図である。
【図２】本実施の形態によるデジタル放送受信装置における、時刻情報取得処理の流れを示すフローチャート図である。
【図３Ａ】ＣＤＮ構成情報ファイル（ＸＭＬ）の一例を示す図である。
【図３Ｂ】ＰＦ構成情報ファイル（ＸＭＬ）の一例を示す図である。
【符号の説明】
【００１５】
Ａ…デジタル放送受信装置、１…フロントエンド、３…デマルチプレクサ、５…映像・音声デコード部、７…音声出力部、１１…番組表デコード部、１５…番組表データ生成部、１７…画面合成部、２１…表示部、２３…リモコン受光部、２５…制御部、２５ａ…タイマ、２７…メモリ部、２８…インターフェイス部、Ｂ…コンテンツサーバ、ＮＴ…ネットワーク、３１…ＳＮＴＰ情報、３５…ＳＩ専用ストリーム情報。
【発明を実施するための最良の形態】
【００１６】
本発明の実施の形態について説明する前に、基本的な用語について以下に定義しておく。【００１７】
１）ＣＤＮ(Contents Delivery Network)：デジタルコンテンツを配信する目的で設計されたネットワークのことである。【００１８】
２）ＣＤＮ構成情報ＵＲＩ：http://cdn.iptvf.jp/cdn.comp：どのＣＤＮと契約しても、ＣＤＮ構成情報を取得に行くＵＲＩは同じであり、このＵＲＩをＣＤＮ構成情報ＵＲＩと称する。【００１９】
３）ＤＮＳ：domain name system、インターネットに接続されたコンピュータのドメイン名とIPアドレスとを対応させるシステムであり、また両者を置き換える機能を持つものである。繋がるＤＮＳによって、返るＩＰアドレスが（ＣＤＮ毎に）変わるように運用されている。【００２０】
ＣＤＮ毎にＣＤＮ構成情報ファイルは異なる。【００２１】
４）ＴＣＰ/ＩＰ：ネットワークを通じてコンピュータの時刻を同期させるプロトコルの一つで、ＮＴＰの簡易版。ＲＦＣ ２０３０で定義されている。【００２２】
５）ＳＮＴＰ（Ｓｉｍｐｌｅ  Ｎｅｔｗｏｒｋ  Ｔｉｍｅ  Ｐｒｏｔｏｃｏｌ）
NTPは時刻情報サーバを階層的に構成し、情報を交換して時刻を同期するプロトコルであり、ＳＮＴＰはこのＮＴＰの仕様のうち複雑な部分を省略し、クライアントがサーバに正確な時刻を問い合わせる用途に特化しているものである。【００２３】
６）ＳＩ専用ストリーム
ＳＩ(Service Information)とは、番組配列情報。番組選択の利便性のために規定された各種情報のことであり、ＳＩ専用ストリームとは、映像・音声を含まない特殊なトランスポートストリームを指す。ＩＰ放送の全チャンネル分のEITscheduleなどを一括して伝送するために用いる。【００２４】
以下に、本発明の一実施の形態によるデジタル放送受信技術について、図面を参照しながら説明を行う。【００２５】
図１は、本実施の形態によるデジタル放送受信装置の一構成例を示す図である。図１に示すデジタル放送受信装置Ａは、アンテナから受信したデジタル放送の信号を受信して選局するなどの処理を行うフロントエンド１と、デマルチプレクサ３と、デマルチプレクサ３からの出力をデコードする映像・音声デコード５と、デコードされた映像信号と後述する番組表データとを合成して表示させるための信号を生成する画面合成部１７と、画面合成部１７で合成した信号に基づく表示部２１と、音声を出力する音声出力部７と、を有している。【００２６】
さらに、デマルチプレクサ３から出力された番組情報をデコードする番組情報デコード部１１と、番組情報デコード部１１によりデコードされた番組情報に基づいて電子番組表を生成する電子番組表データ生成部１５と、を備える。【００２７】
加えて、他の外部機器との間のインターフェイスを形成するインターフェイス部２８と、制御機器であるリモコン装置からのリモコン信号を受信するリモコン受光部２３と、全体を制御する制御部（ＣＰＵ）２５と、制御部２５において実行され、各種の処理を行わせるためのアプリケーションプログラムを記録し、そのプログラムを展開してＣＰＵに提供するメモリ部（ＲＡＭ・ＲＯＭ）２７と、を有している。インターフェイス部２８は、インターネット（ＮＴ）を介して、コンテンツサーバＢからデジタルコンテンツの配信を受けることができる。また、例えば制御部２５には、タイマ２５ａが設けられ、放送波に乗せられている時刻情報を取得して時間を設定することができる。【００２８】
図２は、本実施の形態によるデジタル放送受信装置における、時刻情報取得処理の流れを示すフローチャート図である。まず、処理が開始されると（ステップＳ１：ＳＴＡＲＴ）、ユーザの操作により新規にＣＤＮに接続された後に（ステップＳ２でＹＥＳ）、CDN構成情報ファイル(ＸＭＬ)を取得することができる（ステップＳ３）。【００２９】
図３Ａは、ＣＤＮ構成情報ファイル（ＸＭＬ）の一例を示す図である。ＣＤＮ構成情報ファイルには、ＣＤＮ名等の他に、ＳＮＴＰ情報３１（クライアントがサーバに正確な時刻を問い合わせるためのプロトコル）により時刻情報を問い合わせることができる。【００３０】
次に、ＣＤＮ構成情報に書かれているＰＦ構成情報ファイルを取得する（ステップＳ４）。図３Ｂは、ＰＦ構成情報ファイル（ＸＭＬ）の一例を示す図である。このＰＦ構成情報ファイルには、ＳＩ専用ストリーム情報３５が記載されており、業者専用のストリームに関する情報が記載されている。この情報に基づいてチャネルサーチを行うことができる。【００３１】
ＩＰ放送の有無を判定し、ＩＰ放送がある場合には（ステップＳ５でＹ）、PF構成情報ファイル(ＸＭＬ)に記載のマルチキャストアドレスに接続し（ステップＳ６）、ＳＩ専用ストリーム（映像・音声を含まない全局ＳＩ）から、PF中の全チャンネル情報を取得する（チャンネルスキャン時：ステップＳ７）。尚、図３Ｂにおいて、マルチキャストアドレスは”ff38::100”で表される。ここでは、省略表記されているが、省略しないアドレスとしては”ff38:0000:0000:0000:0000:0000:0000:0100”となる。ここで、チャンネルスキャンでは、ＳＩ専用ストリーム（３５）にJoinし、全局分のＮＩＴ（編成チャンネル）データを取得する。尚、ＮＩＴとは、Network Information Table：ネットワーク情報テーブルの略である。各チャンネルを送信するためのマルチキャストアドレスなどの伝送路情報と編成チャンネルを関連づける情報を伝送するもので、１つの分配システムに含まれる全ての編成チャンネルＩＤ番号が記載されている。ＮＩＴが再送される周期は、デフォルト周期が１秒のため、２秒程度あれば１PF当たりの全チャンネルデータを取得することができる。これが、チャンネルスキャンと番組表取得の大きな違いである。番組表取得には、最大で１８０秒×２が必要となる。ＳＮＴＰのＵＲＬはＣＤＮ構成情報ファイルに記載されている。ＳＮＴＰよる時間情報の取得を、このチャンネルスキャンを行うと同時（または直前または直後など近いタイミングで）に行う。ＳＩ専用ストリームの受信は、ＲＴＰ（ＵＤＰ）プロトコルにより行うため、SNTPによる時間情報の取得処理とは異なるプロトコルで処理ができるため、同じタイミング又は近いタイミングでストリームと時刻情報とを同時に取得することが可能である。【００３２】
尚、ＳＮＴＰより時間情報を取得していなくてもＩＰ放送の視聴は可能である（ステップＳ８）。これにより、処理が終了する（ステップＳ９）。【００３３】
従来は、ＳＩ専用ストリームに流れている一番古いＥＩＴ[schedule]から（例えば当日の０：００以降からの情報）の番組表を表示することはできたが、電子番組表を表示する際に、時間情報を取得していない場合には、現在放送中の番組からの番組表を表示することができなかった。【００３４】
これに対して、上記のような手順、すなわち、ＮＩＴを取得するタイミングでＳＮＴＰから番組情報を取得することで、チャネルスキャンと同時に又は近いタイミングで時刻を取得し、すなわち、初期設定時における初期チャネルサーチ時においてタイマ２５ａの時刻設定も行うことができるようにしたことにより、例えば、ほとんどＩＰ放送だけを視聴する場合であっても、電子番組表などのデジタル放送波から取得する情報を得るための時刻情報も取得することができるようになった。【００３５】
（まとめ）
タイマを備え、ＩＰ放送を受信可能なデジタル放送受信装置において、新規にＣＤＮに接続した後に取得されたＣＤＮ構成情報ファイルに記載されているＰＦ構成情報ファイルに記載されているＳＩ専用ストリーム情報に基づいて初期チャネルサーチ処理を、ＣＤＮ構成情報ファイルに記載されているＳＮＴＰよる時間情報の取得処理と近いタイミングで行う制御部を有することで、ＳＩ専用ストリームの受信は、ＲＴＰ（ＵＤＰ）プロトコルにより行うため、ＳＮＴＰによる時間情報の取得処理とは異なるプロトコルであることを利用して、ストリームと時刻情報とを同時に取得することができる。初期チャンネルサーチ時に時刻設定をも行うことにより、デジタル放送受信装置がＩＰ放送を受信するときでも、視聴者には何の負担もあたえることなく、受信されるサービスを享受することが可能となる。【００３６】
以上に説明したように、本実施の形態によれば、初期チャンネルサーチ時に時刻設定をも行うことにより、デジタル放送受信装置がＩＰ放送を受信するときでも、視聴者には何の負担もあたえることなく、受信されるサービスを享受することが可能となる。
【産業上の利用可能性】
【００３７】
本発明は、ＩＰ放送を視聴できるデジタル放送受信装置に利用可能である。
【図１】
2010041627.tif 000003
【図２】
2010041627.tif 000004
【図３Ａ】
2010041627.tif 000005
【図３Ｂ】
2010041627.tif 000006
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
タイマを備え、ＩＰ放送を受信可能なデジタル放送受信装置であって、
新規にＣＤＮに接続した後に取得されたＣＤＮ構成情報ファイルにおけるＰＦ構成情報ファイルに記載されているＳＩ専用ストリーム情報に基づいて、ＳＩ専用ストリームを、ＲＴＰ（ＵＤＰ）プロトコルにより受信し、前記ＣＤＮ構成情報ファイルに前記ＲＴＰ（ＵＤＰ）プロトコルとは異なるプロトコルで記載されているＳＮＴＰによる時間情報の取得処理時に初期チャネルサーチ処理を行う制御部を有することを特徴とするデジタル放送受信装置。
【請求項２】
前記の制御部における前記初期チャネルサーチを、ＩＰ放送の有無の判断処理においてＩＰ放送がある場合に行うことを特徴とする請求項１に記載のデジタル放送受信装置。
【請求項３】
前記制御部は、
前記時間情報を前記タイマに反映させ、該タイマにおける時間情報に基づいて、デジタル放送波から取得する電子番組表情報を取得する処理を行うことを特徴とする請求項１又は２に記載のデジタル放送受信装置。
【請求項４】
タイマを備え、ＩＰ放送を受信可能なデジタル放送受信装置における受信方法であって、
新規にＣＤＮに接続した後に取得されたＣＤＮ構成情報ファイルに記載されているＰＦ構成情報ファイルに記載されているＳＩ専用ストリーム情報に基づいてＳＩ専用ストリームを、ＲＴＰ（ＵＤＰ）プロトコルにより受信し、初期チャネルサーチ処理を、前記ＣＤＮ構成情報ファイルに記載されている前記ＲＴＰ（ＵＤＰ）プロトコルとは異なるプロトコルで記載されているＳＮＴＰよる時間情報の取得処理と近いタイミングで行うステップを有することを特徴とする受信方法。
【請求項５】
請求項４に記載の方法をコンピュータに実行させるためのプログラム。
【請求項６】
請求項５に記載のプログラムを記録するコンピュータ読み取り可能な記録媒体。
【国際調査報告】
2010041627.tif 000007
2010041627.tif 000008
2010041627.tif 000009
2010041627.tif 000010